(57)【要約】【課題】  草刈機に取り付けられる草寄せ部材、低木保持部材、又は刈刃保護部材である草刈機用部材を、使用するとき及び使用しないときに応じて、使用位置及び退避位置に簡単に移動させて固定することができる草刈機用用具及びそれを備える草刈機を提供すること。【解決手段】  ハンドルシャフト１３の先端部に、回転駆動される刈払刃１２が設けられた草刈機１１のハンドルシャフト１３に取り付けることができる草刈機用用具１４であって、草寄せ部材１５を使用位置と退避位置との間で揺動可能に支持し、草寄せ部材１５を使用位置及び退避位置に固定することができる位置決め機構２２を備える。【選択図】      図１
2008289444.tif 000002
【特許請求の範囲】
【請求項１】
ハンドルシャフトの先端部に、駆動される刈刃が設けられた草刈機の前記ハンドルシャフトに取り付けることができる草刈機用用具であって、
草寄せ部材、低木保持部材、又は刈刃保護部材である草刈機用部材と、
前記草刈機用部材を使用位置と退避位置との間で移動可能に支持し、前記草刈機用部材を前記使用位置及び前記退避位置に固定することができる位置決め機構とを備えることを特徴とする草刈機用用具。
【請求項２】
前記位置決め機構は、
前記ハンドルシャフトに固定して取り付けられる固定側部と、
前記固定側部に対して回動自在に設けられて前記草刈機用部材が取り付けられ、前記草刈機用部材を、前記使用位置と前記退避位置との間で揺動自在に保持する回動側部と、
一端が前記固定側部と連結すると共に、他端が前記回動側部と連結し、前記草刈機用部材が、前記使用位置及び前記退避位置にあるときに短縮状態となり、前記使用位置と前記退避位置との間にあるときに伸長状態となる引っ張りばねとを有することを特徴とする請求項１記載の草刈機用用具。
【請求項３】
前記位置決め機構は、
前記ハンドルシャフトに固定して取り付けられる固定側部と、
前記固定側部に対して回動自在に設けられ、前記草刈機用部材が取り付けられている回動側部と、
前記固定側部と前記回動側部の互いに対向する一方の側面に設けられた係合歯、及び他方の側面に設けられ前記係合歯と噛合うことができる被係合歯とを有し、
前記回動側部は、前記係合歯と前記被係合歯とが互いに噛合う噛合い位置と、両者が噛合わない非噛合い位置とに移動することができ、
前記草刈機用部材が前記使用位置及び前記退避位置にあるときに、前記回動側部を前記噛合い位置に固定手段によって固定することができる構成としたことを特徴とする請求項１記載の草刈機用用具。
【請求項４】
前記位置決め機構は、
前記ハンドルシャフトに固定して取り付けられる固定側部と、
前記固定側部に対して回動自在に設けられ、前記草刈機用部材が取り付けられている回動側部と、
前記固定側部と前記回動側部の互いに対向する一方の側面に設けられた複数の凹部、及び他方の側面に設けられ当該他方の側面から突出して前記凹部に係合する係合位置と、前記他方の側面よりも下側に埋没する非係合位置との間を移動可能な凸部材と、
前記凸部材を前記係合位置側に付勢するばね部材とを有し、
前記草刈機用部材が前記使用位置及び前記退避位置にあるときに、前記凸部材が前記凹部に係合することを特徴とする請求項１記載の草刈機用用具。
【請求項５】
前記草寄せ部材は、前記使用位置で前記刈刃の上方に配置され、前記刈刃によって刈り取られた切断草を受け止めて、前記草刈機の揺動刈取り操作によって前記切断草を寄せるためのものであることを特徴とする請求項１乃至４のいずれかに記載の草刈機用用具。
【請求項６】
前記刈刃は、円板状の刈払刃であり、
前記低木保持部材は、前記使用位置で前記刈刃の上方に配置され、前記刈刃の周縁部の内側から外側に向かって延びて前記周縁部から突出していることを特徴とする請求項１乃至４のいずれかに記載の草刈機用用具。
【請求項７】
前記刈刃保護部材は、縁部に沿って複数の凸部と凹部とが交互に形成され、前記凹部は、前記刈刃に設けられている切刃が当該凹部の内側に配置される深さに形成され、前記使用位置で前記刈刃の上方に配置されることを特徴とする請求項１乃至４のいずれかに記載の草刈機用用具。
【請求項８】
請求項１乃至７のいずれかに記載の草刈機用用具を備えることを特徴とする草刈機。
【請求項９】
前記刈刃は、回転駆動される円板状の刈払刃、往復駆動される直線状に設けられたもの、又は回転駆動される紐状体のものであることを特徴とする請求項８記載の草刈機。
【請求項１０】
ハンドルシャフトの先端部に、駆動される刈刃が設けられた草刈機の前記ハンドルシャフトに取り付けることができ、草寄せ部材、低木保持部材、又は刈刃保護部材である草刈機用部材が設けられる草刈機用用具であって、
前記草刈機用部材を使用位置と退避位置との間で移動可能に支持し、前記草刈機用部材を前記使用位置及び前記退避位置に固定することができる位置決め機構を備えることを特徴とする草刈機用用具。
【発明の詳細な説明】
【技術分野】
【０００１】
本発明は、ハンドルシャフトの先端部に刈刃が設けられた草刈機のそのハンドルシャフトに取り付けることができる草刈機用用具であって、この用具に取り付けられている草寄せ部材、低木保持部材、又は刈刃保護部材である草刈機用部材を、使用位置及び退避位置に簡単に移動させて固定することができる草刈機用用具及びそれを備える草刈機に関する。
【背景技術】
【０００２】
従来の草刈機の一例として、ハンドルシャフトの先端部に円板状の刈払刃が設けられたものがある。この草刈機を使用して草を刈り取るときは、この草刈機を吊り紐（図示せず）よって肩に掛けて、回転する刈払刃を左右に振ることによって、草刈り作業を行うことができる。
【０００３】
しかし、この草刈機の刈払刃を左右に振ることによって草を刈り取ったときは、その刈り取られた草が飛散して乱雑に地面に散らかった状態となり、この散らかった切断草を熊手や箒で掃き集める必要があり、その手間と時間が掛かる。
【０００４】
そこで、このような問題を解決するために、図１７及び図１８に示す草刈機１が提供されている（例えば、特許文献１参照。）。この草刈機１は、図１８に示すように、ハンドルシャフト２の先端部に草寄せ具３が固定して取り付けられている。つまり、この草寄せ具３は、草寄せ本体４を有し、この草寄せ本体４は、ステー５及び取付け部６を介してハンドルシャフト２にナット７で固定されている。
【０００５】
この図１７及び図１８に示す草刈機１によると、回転する刈払刃８を左右に振ることによって草刈り作業を行うことができ、そして、刈払刃８によって刈り取られた切断草９を、草寄せ本体４によって受け止めることができる。そして、草刈り作業で行われる刈払刃８を左右に振る動作によって、この草寄せ本体４によって受け止めた切断草９を、作業者の例えば左側に振り落として寄せて集めることができる。これによって、草刈り作業と、切断草９の寄せ集め作業とを同時に行うことができる。
【特許文献１】特開２００３−１４３９１９号公報
【発明の開示】
【発明が解決しようとする課題】
【０００６】
しかし、図１７及図１８に示す従来の草刈機１では、例えば刈り取られた草の長さが比較的長い場合や草が細い場合は、刈り取られた切断草９が草寄せ本体４に巻き付き易く、このような場合は、草寄せ本体４が草刈り作業の邪魔になるので、草寄せ具３を草刈機１から取り外すことが行われている。
【０００７】
このように、草寄せ具３を草刈機１から取り外すときは、図１８に示す２つのナット７を緩めて取り外す必要があり、手間と時間が掛かる。更に、草寄せ具３を草刈機１に取り付けて使用するときは、この２つのナット７を取付け部６に螺合させて締め付ける必要があり、この場合も、手間と時間が掛かる。そして、ナット７を緩めたり締め付けるには、工具が必要であり、このような工具を所持していないときは、草寄せ具３を草刈機１から取り外したり、取り付けることができない。
【０００８】
本発明は、上記のような課題を解決するためになされたものであり、草刈機に取り付けられる草寄せ部材、低木保持部材、又は刈刃保護部材である草刈機用部材を、使用するとき及び使用しないときに応じて、使用位置及び退避位置に簡単に移動させて固定することができる草刈機用用具及びそれを備える草刈機を提供することを目的としている。
【課題を解決するための手段】
【０００９】
本発明に係る草刈機用用具は、ハンドルシャフトの先端部に、駆動される刈刃が設けられた草刈機の前記ハンドルシャフトに取り付けることができる草刈機用用具であって、草寄せ部材、低木保持部材、又は刈刃保護部材である草刈機用部材と、前記草刈機用部材を使用位置と退避位置との間で移動可能に支持し、前記草刈機用部材を前記使用位置及び前記退避位置に固定することができる位置決め機構とを備えることを特徴とするものである。
【００１０】
本発明に係る草刈機用用具によると、草刈機のハンドルシャフトに取り付けて使用することができる。そして、位置決め機構によって、この用具に取り付けられている草寄せ部材、低木保持部材、又は刈刃保護部材である草刈機用部材を、使用するとき及び使用しないときに応じて使用位置及び退避位置に移動させて固定することができる。このように、草刈機用部材を使用しないときに、退避位置に移動させて固定することができるので、草刈機用部材を草刈機から取り外す必要がない。
【００１１】
なお、草寄せ部材は、例えばこの草刈機用用具が取り付けられた草刈機を使用して草刈り作業をしているときに、その刈り取られた草を受け止めて、所望の場所に振り落として寄せ集めることができるものである。低木保持部材は、低木をこの低木保持部材と刈刃との間に保持して、この刈刃によって切断できるようにするものである。刈刃保護部材は、例えば壁や塀等の際に生えている草を刈り取るときに、刈刃が壁や塀に接触しないように刈刃を保護するためのものである。
【００１２】
そして、この発明に係る草刈機用用具において、前記位置決め機構は、前記ハンドルシャフトに固定して取り付けられる固定側部と、前記固定側部に対して回動自在に設けられて前記草刈機用部材が取り付けられ、前記草刈機用部材を、前記使用位置と前記退避位置との間で揺動自在に保持する回動側部と、一端が前記固定側部と連結すると共に、他端が前記回動側部と連結し、前記草刈機用部材が、前記使用位置及び前記退避位置にあるときに短縮状態となり、前記使用位置と前記退避位置との間にあるときに伸長状態となる引っ張りばねとを有する構成とすることができる。
【００１３】
この草刈機用用具が備えている位置決め機構によると、草刈機用用具を、固定側部を介してハンドルシャフトに固定して取り付けることができる。そして、作業者が草刈機用部材を使用するときは、草刈機用部材を使用位置側に傾ける。このようにすると、引っ張りばねのばね力によって、自動的に草刈機用部材（回動側部）を使用位置に揺動させてその使用位置に保持（固定）することができる。これによって、草刈機用部材を固定した状態で使用することができる。また、作業者が草刈機用部材を使用しないときは、草刈機用部材（回動側部）を退避位置側に傾ける。このようにすると、引っ張りばねのばね力によって、自動的に草刈機用部材を退避位置に揺動させてその退避位置に保持（固定）することができる。これによって、草刈機用部材が草刈り作業の邪魔にならないように固定しておくことができる。
【００１４】
そして、この発明に係る草刈機用用具において、前記位置決め機構は、前記ハンドルシャフトに固定して取り付けられる固定側部と、前記固定側部に対して回動自在に設けられ、前記草刈機用部材が取り付けられている回動側部と、前記固定側部と前記回動側部の互いに対向する一方の側面に設けられた係合歯、及び他方の側面に設けられ前記係合歯と噛合うことができる被係合歯とを有し、前記回動側部は、前記係合歯と前記被係合歯とが互いに噛合う噛合い位置と、両者が噛合わない非噛合い位置とに移動することができ、前記草刈機用部材が前記使用位置及び前記退避位置にあるときに、前記回動側部を前記噛合い位置に固定手段によって固定することができる構成とすることができる。
【００１５】
この草刈機用用具が備えている位置決め機構によると、固定側部を介して草刈機用用具をハンドルシャフトに固定して取り付けることができる。そして、作業者が草刈機用部材を使用するときは、固定手段を操作して回動側部を非噛合い位置に移動させて、この草刈機用部材を使用位置に揺動させる。そして、固定手段を操作して、回動側部を噛合い位置に移動させて固定する。これによって、草刈機用部材を使用位置に固定することができるので、草刈機用部材を固定した状態で使用することができる。
【００１６】
また、作業者が草刈機用部材を使用しないときは、固定手段を操作して回動側部を非噛合い位置に移動させて、この草刈機用部材を退避位置に揺動させる。そして、固定手段を操作して、回動側部を噛合い位置に移動させて固定する。これによって、草刈機用部材を退避位置に固定することができるので、草刈機用部材が草刈り作業の邪魔にならないようにすることができる。また、草刈機用部材を使用位置及び退避位置に固定するときは、被係合歯と係合歯とが互いに噛み合う噛合い位置に回動側部を固定手段で固定することができるので、草寄せ部材を使用位置及び退避位置から移動しないように確実に固定することができる。
【００１７】
そして、この発明に係る草刈機用用具において、前記位置決め機構は、前記ハンドルシャフトに固定して取り付けられる固定側部と、前記固定側部に対して回動自在に設けられ、前記草刈機用部材が取り付けられている回動側部と、前記固定側部と前記回動側部の互いに対向する一方の側面に設けられた複数の凹部、及び他方の側面に設けられ当該他方の側面から突出して前記凹部に係合する係合位置と、前記他方の側面よりも下側に埋没する非係合位置との間を移動可能な凸部材と、前記凸部材を前記係合位置側に付勢するばね部材とを有し、前記草刈機用部材が前記使用位置及び前記退避位置にあるときに、前記凸部材が前記凹部に係合する構成とすることができる。
【００１８】
この草刈機用用具が備えている位置決め機構によると、固定側部を介して草刈機用用具をハンドルシャフトに固定して取り付けることができる。そして、作業者が草刈機用部材を使用するときは、草刈機用部材を使用位置に揺動移動させる。このようにすると、ばね部材のばね力によって、自動的に凸部材を係合位置側に付勢して凹部に係合させることができ、草刈機用部材（回動側部）を使用位置に固定することができる。これによって、草刈機用部材を固定した状態で使用することができる。
【００１９】
また、作業者が草刈機用部材を使用しないときは、草刈機用部材を退避位置に揺動移動させる。このようにすると、ばね部材のばね力によって、自動的に凸部材を係合位置側に付勢して凹部に係合させることができ、草刈機用部材（回動側部）を退避位置に固定することができる。これによって、草刈機用部材が草刈り作業の邪魔にならないようにすることができる。
【００２０】
そして、この発明に係る草刈機用用具において、前記草寄せ部材は、前記使用位置で前記刈刃の上方に配置され、前記刈刃によって刈り取られた切断草を受け止めて、前記草刈機の揺動刈取り操作によって前記切断草を寄せるためのものとすることができる。
【００２１】
この草寄せ部材によると、例えばこの草刈機用用具が取り付けられた草刈機を使用して草刈り作業をしているときに、その刈り取られた草を受け止めて、草刈機の揺動刈取り操作によって所望の場所に振り落として寄せ集めることができる。
【００２２】
そして、この発明に係る草刈機用用具において、前記刈刃は、円板状の刈払刃であり、前記低木保持部材は、前記使用位置で前記刈刃の上方に配置され、前記刈刃の周縁部の内側から外側に向かって延びて前記周縁部から突出しているものとすることができる。
【００２３】
この低木保持部材によると、刈刃の回転力によって、低木をこの低木保持部材と刈刃の周縁部との間に保持して、この刈刃によって低木を切断することができる。
【００２４】
そして、この発明に係る草刈機用用具において、前記刈刃保護部材は、縁部に沿って複数の凸部と凹部とが交互に形成され、前記凹部は、前記刈刃に設けられている切刃が当該凹部の内側に配置される深さに形成され、前記使用位置で前記刈刃の上方に配置されるものとすることができる。
【００２５】
この刈刃保護部材によると、この刈刃保護部材に形成されている複数の凸部が、刈刃に設けられている切刃よりも外側に突出しているので、壁や塀等の際に生えている草を刈り取るときに、刈刃が壁や塀に接触しないように、この凸部によって刈刃を保護することができる。そして、刈刃に設けられている切刃が、刈刃保護部材に形成されている複数の凹部の内側に配置されているので、この凹部に入り込んでくる草を切刃によって刈り取ることができる。
【００２６】
そして、本発明に係る草刈機は、本発明の草刈機用用具を備えることを特徴とするものである。
【００２７】
本発明に係る草刈機によると、刈刃によって草を刈り取ることができる。そして、草刈機用用具は、上記と同様に作用するのでその説明を省略する。
【００２８】
そして、この発明に係る草刈機において、前記刈刃は、回転駆動される円板状の刈払刃、往復駆動される直線状に設けられたもの、又は回転駆動される紐状体のものとすることができる。
【００２９】
この草刈機に取り付けられている草刈機用用具は、草刈機の刈刃として、回転駆動される円板状の刈払刃、往復駆動される直線状に設けられたもの、又は回転駆動される紐状体のものが採用されている場合でも、適用することができる。
【００３０】
そして、本発明に係る草刈機用用具は、ハンドルシャフトの先端部に、駆動される刈刃が設けられた草刈機の前記ハンドルシャフトに取り付けることができ、草寄せ部材、低木保持部材、又は刈刃保護部材である草刈機用部材を着脱自在に取り付けることができる草刈機用用具であって、前記草刈機用部材を使用位置と退避位置との間で移動可能に支持し、前記草刈機用部材を前記使用位置及び前記退避位置に固定することができる位置決め機構を備えることを特徴とするものである。
【００３１】
本発明に係る草刈機用用具によると、草寄せ部材、低木保持部材、又は刈刃保護部材を、必要に応じて取り付けて使用することができる。
【発明の効果】
【００３２】
本発明に係る草刈機用用具によると、草刈機用部材を使用できる使用位置、及び使用しない退避位置に揺動させて固定できる位置決め機構が設けられているので、草刈機用部材を使用しないときは、退避位置に移動させて固定すればよく、草刈機用部材を草刈機から取り外す必要がない。これによって、草刈機用部材を、使用するとき及び使用しないときに、その都度、ハンドルシャフトに対して着脱する必要がなく、そのための手間及び時間を解消することができる。
【００３３】
本発明に係る草刈機によると、この草刈機が備えている草刈機用用具の有する上記効果を奏することができる。
【発明を実施するための最良の形態】
【００３４】
以下、本発明に係る草刈機用用具、及びそれを備える草刈機の第１実施形態を、図１〜図６を参照して説明する。この図１に示す草刈機１１は、草刈り作業をする作業者が携帯することができて、刈払刃（刈刃）１２を例えばエンジン（回転駆動部）によって所定方向に高速回転させることができ、この高速回転する刈払刃１２で草や芝等を刈り取ることができるものである。そして、この草刈機１１のハンドルシャフト１３の先端部には、草刈機用用具１４が取り付けられており、この草刈機用用具１４には、草寄せ部材１５が取り付けられている。図１及び図２は、草寄せ部材１５を使用位置に固定した状態を示す平面図及び正面図である。図３は、草寄せ部材１５を退避位置に固定した状態を示す正面図である。
【００３５】
刈払刃１２は、図１の平面図に示すように、金属製の円板であり、この円板の外周縁部に沿って複数の凸部１６と凹部１７とが交互に形成されており、各凸部１６、・・・に超硬チップが切刃１２ａ、・・・として設けられている。各切刃１２ａは、略台形に形成されている凸部１６の縁部の頂部に配置されている。勿論、超硬チップが設けられておらず、多数の切刃１２ａが形成された刈払刃を使用することができる。
【００３６】
この刈払刃１２は、図２に示すように、中央に形成されている挿通孔に回転軸１８が挿通し、この回転軸１８に固定して取り付けられている。この回転軸１８に対する刈払刃１２の取り付けは、円盤状の挟持部材１９とボルト２０によって締結されている。
【００３７】
そして、回転軸１８は、ケース２１内に軸受を介して回動自在に設けられており、このケース２１は、ハンドルシャフト１３の先端部に固定して取り付けられている。また、回転軸１８は、図には示さないが、回転動力伝達部を介して回転駆動部（例えばエンジン）の出力回転軸１８と連結している。この回転駆動部は、例えばハンドルシャフト１３の基端に設けられている。
【００３８】
草刈機用用具１４は、図１及び図２に示すように、ハンドルシャフト１３の先端部に固定して取り付けられており、草寄せ部材１５と、位置決め機構２２とを備えている。
【００３９】
草寄せ部材１５は、図１及び図２に示すように使用位置に揺動させた状態で、刈払刃１２の上方に配置され、刈払刃１２によって刈り取られた切断草９を受け止めることができ、作業者による草刈機１１の揺動刈取り操作によって切断草９を所望の場所に振り落として寄せ集めることができるものである。この草寄せ部材１５は、切断草９を受け止めるための草寄せ本体１５ａと、この草寄せ本体１５ａを位置決め機構２２に取り付けるための取付け部１５ｂとを備えている。
【００４０】
草寄せ本体１５ａは、使用状態を示す図１及び図２に示すように、所定長さの棒状体で形成されて、刈払刃１２の上面と所定の間隔を隔てて配置され、刈払刃１２の上面と略平行している。また、草寄せ本体１５ａは、刈払刃１２の中心よりも、作業者の側から見て右側に配置してあり、この草寄せ本体１５ａによって受け止められた切断草９は、刈払刃１２の上面であって作業者の側から見て草寄せ本体１５ａよりも左側部分に保持されるようになっている。更に、草寄せ本体１５ａの両方の各端部は、刈払刃１２の外周縁部に沿うように屈曲形成され、刈払刃１２の外周縁部よりも内側に配置されている。これによって、切断草９が刈払刃１２の上面からこぼれ落ち難くしている。
【００４１】
取付け部１５ｂは、図１及び図２に示すように、先端部が草寄せ本体１５ａと結合し、基端部が位置決め機構２２の回動側部２３と連結している。そして、取付け部１５ｂの略中央部には、保持部２４が取り付けられている。
【００４２】
保持部２４は、図１に示すように、草寄せ部材１５が使用位置に揺動移動している状態で、この草寄せ部材１５を使用位置に安定して保持することができるものであり、把持部２４ａを有している。この把持部２４ａは、半円状部材であり、草寄せ部材１５が使用位置にある状態でハンドルシャフト１３を把持するようにして係合することができる。また、この保持部２４は、図３に示すように、草寄せ部材１５が退避位置にある状態で、把持部２４ａの背面がハンドルシャフト１３に当接することができ、この草寄せ部材１５を退避位置に安定して保持することができる。
【００４３】
位置決め機構２２は、草寄せ部材１５を、図２に示す使用位置と、図３に示す退避位置との間で揺動可能に支持し、草寄せ部材１５を使用位置及び退避位置に固定することができるものであり、固定側部２５、回動側部２３、及び引っ張りばね２６を有している。図４（ａ）は、位置決め機構２２の縦断面図であり、図４（ｂ）は、位置決め機構２２の引っ張りばね２６の取り付け状態を示す正面図である。そして、図４（ｃ）は、位置決め機構２２を分解した状態を示す縦断面図である。また、図５（ａ）、（ｂ）は、固定側部２５を示し、図６（ａ）、（ｂ）は、回動側部２３を示している。
【００４４】
固定側部２５は、図４（ａ）、（ｂ）に示すように、ハンドルシャフト１３に固定して取り付けられるものであり、この固定側部２５とプレート２７との間にハンドルシャフト１３を挟み込んだ状態で、２本のボルト２８、２８で締め付け固定されている。そして、固定側部２５及びプレート２７は、ハンドルシャフト１３に当接するそれぞれの側面がハンドルシャフト１３の外面を把持できるように、半円状に湾曲形成されている。
【００４５】
回動側部２３は、図４（ａ）、（ｂ）に示すように、円板状に形成されて中心孔２９を有し、この中心孔２９には、固定側部２５の側面に突設された突起３０が回動自在に挿通している。これによって、回動側部２３は、この突起３０を中心にして、固定側部２５に対して回動自在であり、回動側部２３が固定側部２５から外れないように、ボルト３１及び座金３２で係止されている。そして、図４（ｂ）に示すように、回動側部２３に形成されている挿通孔３３には、草寄せ部材１５の取付け部１５ｂの基端部が挿通されて、ボルト３４で固定されている。
【００４６】
引っ張りばね２６は、図４（ａ）に示すように、一端が固定側部２５とボルト３５を介して連結すると共に、他端が３６ボルトを介して回動側部２３と連結している。そして、引っ張りばね２６は、草寄せ部材１５（回動側部２３）が、図４（ｂ）及び図２に示すように使用位置にあるとき、及び図３に示すように退避位置にあるときにそれぞれ短縮状態となる。そして、図には示さないが、引っ張りばね２６は、草寄せ部材１５（回動側部２３）が使用位置と退避位置との間にあるときに伸長状態となる。
【００４７】
また、回動側部２３には、図４（ａ）、（ｂ）に示すように、円弧状の長孔３７が形成され、この長孔３７には固定側部２５に結合しているボルト３５が挿通している。この円弧状の長孔３７は、回動側部２３を一方及び他方の方向に回動させたときに、ボルト３５が回動側部２３と干渉しないようにするためのものである。
【００４８】
この図４（ａ）、（ｂ）、（ｃ）等に示す位置決め機構２２によると、作業者が草寄せ部材１５を使用するときは、図２に示すように、草寄せ部材１５を使用位置側に傾ける。このようにすると、引っ張りばね２６のばね力によって、自動的に草寄せ部材１５（回動側部２３）を使用位置に揺動させてその使用位置にばね力で保持（固定）することができる。そして、この使用状態で、草寄せ部材１５に取り付けられている保持部２４の把持部２４ａがハンドルシャフト１３に係合する。これによって、草寄せ部材１５を安定して固定した状態で草刈機１１を使用することができる。
【００４９】
また、作業者が草寄せ部材１５を使用しないときは、図３に示すように、草寄せ部材１５（回動側部２３）を退避位置側に傾ける。このようにすると、引っ張りばね２６のばね力によって、自動的に草寄せ部材１５を退避位置に揺動させてその退避位置にばね力で保持（固定）することができる。そして、この退避状態で、草寄せ部材１５に取り付けられている保持部２４の背面がハンドルシャフト１３に当接する。これによって、草寄せ部材１５が草刈り作業の邪魔にならないように安定して固定しておくことができる。
【００５０】
なお、図２に示す３８は、安全カバーである。図１では、この安全カバー３８を省略してある。
【００５１】
次に、図１〜図６に示すように構成された草刈機１１を使用して草を刈り取るときは、この草刈機１１を吊り紐（図示せず）よって肩に掛けて、回転する刈払刃１２を左右に振ることによって、簡単に草刈り作業を行うことができる。そして、刈払刃１２によって刈り取られた切断草９は、刈払刃１２の上面に保持されてこの刈払刃１２に伴って同方向に回転するので、この回転移動する切断草９を草寄せ部材１５によって受け止めることができ、この受け止められた切断草９は、図１に示すように、刈払刃１２の上面に集められる。そして、草刈り作業で行われる刈払刃１２を左右に振る動作によって、この草寄せ部材１５によって受け止められた切断草９を、作業者の例えば左側に振り落として寄せて集めることができる。これによって、草刈り作業と、切断草９の寄せ集め作業とを同時に行うことができる。
【００５２】
また、図１〜図３等に示す草刈機用用具１４によると、既製の草刈機１１のハンドルシャフト１３に取り付けて使用することができて便利である。そして、位置決め機構２２によって、この用具１４に取り付けられている草寄せ部材１５を、図２に示すように使用するとき、及び図３に示すように使用しないときに応じて使用位置及び退避位置に移動させて固定することができる。このように、草寄せ部材１５を使用しないときに、退避位置に移動させて固定することができるので、草寄せ部材１５を草刈機１１から取り外す必要がない。よって、草寄せ部材１５を、使用するとき及び使用しないときに、その都度、ハンドルシャフト１３に対して着脱する必要がなく、そのための手間及び時間を解消することができる。
【００５３】
次に、本発明に係る草刈機用用具、及びそれを備える草刈機の第２実施形態を、図７〜図１１を参照して説明する。この図７及び図８に示す第２実施形態の草刈機用用具４０、及びそれを備える草刈機４１と、図１に示す第１実施形態の草刈機用用具１４、及びそれを備える草刈機１１とが相違するところは、草寄せ部材１５を使用位置と退避位置とに位置決めするための位置決め機構４２、２２である。
【００５４】
そして、図７及び図８に示す第２実施形態の位置決め機構４２と、図１に示す第１実施形態の位置決め機構２２とが相違するところは、図１に示す第１実施形態の位置決め機構２２は、引っ張りばね２６のばね力によって草寄せ部材１５を使用位置及び退避位置に固定するようにしたのに対して、図７及び図８に示す第２実施形態の位置決め機構４２では、固定側部２５及び回動側部２３の互いに対向する一方の側面に設けられた係合歯４３と他方の側面に設けられた被係合歯４４との噛合いによって、草寄せ部材１５を使用位置と退避位置とに固定するようにしたところである。これ以外は、第１実施形態の草刈機用用具１４、及びそれを備える草刈機１１と同等であり、同等部分は同一の図面符号で示し、それらの詳細な説明を省略する。
【００５５】
第２実施形態の位置決め機構４２は、第１実施形態の位置決め機構２２と同様に、草寄せ部材１５を、図７及び図８に示す使用位置と、図３に示すものと同等の退避位置との間で移動可能に支持し、草寄せ部材１５を使用位置及び退避位置に固定することができるものであり、固定側部２５、回動側部２３、固定ボルト４５、及び固定ナット（固定手段）４６を有している。図９（ａ）は、位置決め機構４２の縦断面図であり、図９（ｂ）は、位置決め機構４２を分解した状態を示す縦断面図である。また、図１０（ａ）〜（ｄ）は、固定側部２５を示し、図１１（ａ）〜（ｄ）は、回動側部２３を示している。
【００５６】
固定側部２５は、第１実施形態と同様に、図９（ａ）、（ｂ）に示すように、ハンドルシャフト１３に固定して取り付けられるものであり、この固定側部２５とプレート２７との間にハンドルシャフト１３を挟み込んだ状態で、２本のボルト２８で締め付け固定されている。
【００５７】
回動側部２３は、図９（ａ）、（ｂ）に示すように、円板状体であり、固定側部２５に向かう側面に円形の窪み部４７が形成され、この窪み部４７には、固定側部２５の側面に形成された円形の突出部４８が嵌合している。この突出部４８の外周面４８ａと、窪み部４７の内周面４７ａとの嵌合によって、回動側部２３が固定側部２５に対して所定位置を中心にして回動自在に保持されている。そして、固定側部２５と回動側部２３との互いに対向する側面であって、固定側部２５の側面には、係合歯４３が設けられ、回動側部２３の側面には、係合歯４３に噛み合うことができる被係合歯４４が設けられている。
【００５８】
係合歯４３は、図９及び図１０に示すように、固定側部２５の側面にその中心から外側に向かって放射状に延びるように形成された多数の突条部４３ａ及び溝部４３ｂを備えている。これら多数の突条部４３ａ及び溝部４３ｂは、それぞれ同等の大きさであり、固定側部２５の円周方向に沿って交互に形成されている。
【００５９】
被係合歯４４は、図９及び図１１に示すように、係合歯４３と同等のものであり、回動側部２３の側面にその中心から外側に向かって放射状に延びるように形成された多数の突条部４４ａ及び溝部４４ｂを備えている。これら多数の突条部４４ａ及び溝部４４ｂは、それぞれ同等の大きさであり、回動側部２３の円周方向に沿って交互に形成されている。
【００６０】
また、回動側部２３は、図９（ａ）に示すように、窪み部４７の内周面４７ａが突出部４８の外周面４８ａに軸方向に案内されて、固定側部２５の側に押し込むことができ、これによって、被係合歯４４が係合歯４３に噛み合う噛合い位置に移動させることができる。そして、図には示さないが、窪み部４７の内周面４７ａが突出部４８の外周面４８ａに軸方向に案内されて、回動側部２３を固定側部２５から引き離すことができ、これによって、被係合歯４４と係合歯４３とが互いに噛み合わない非噛合い位置に移動させることができる。
【００６１】
このように、被係合歯４４と係合歯４３とが互いに噛み合わない非噛合い位置に移動させた状態で、回動側部２３を固定側部２５に対して回動（揺動）させることができる。この回動側部２３の揺動は、窪み部４７の内周面４７ａが突出部４８の外周面４８ａに案内されることによって行われる。そして、図９（ａ）に示す回動側部２３に形成されている挿通孔３３には、草寄せ部材１５の取付け部１５ｂの基端部が挿通されて、ボルト３４で固定されているので、草寄せ部材１５を、図８に示す使用位置と、図３に示すものと同等の退避位置とに、この回動側部２３と嵌合する固定側部２５を中心にして揺動させることができる。
【００６２】
そして、草寄せ部材１５を、図８に示す使用位置、及び図３に示すものと同等の退避位置に固定するものが、固定ボルト４５及びこれに螺合する固定ナット４６である。
【００６３】
固定ボルト４５及びこれに螺合する固定ナット４６は、図９（ａ）に示すように、係合歯４３と被係合歯４４とが互いに噛み合う状態で、回動側部２３を固定側部２５と締付け部材４９との間に挟み込んで、回動側部２３を固定側部２５に対して所望の回動位置で固定することができるものである。つまり、締付け部材４９、回動側部２３、及び固定側部２５には、中心孔５０、５１、５２が形成されており、この３つの中心孔５０、５１、５２に固定ボルト４５が挿通している。そして、固定側部２５には、中心孔５２と連通する六角形の係合凹部５３が形成され、この係合凹部５３に固定ボルト４５の六角形の頭部４５ａが装着している。また、締付け部材４９にも、中心孔５０と連通する六角形の係合凹部５３が形成され、この係合凹部５３に六角形の固定ナット４６が装着している。
【００６４】
更に、図９（ａ）に示すように、回動側部２３の固定側部２５側の面には、圧縮ばね５４の収容部５５が形成され、この圧縮ばね５４のばね力は、回動側部２３を固定側部２５から引き離す方向に付勢している。よって、作業者は、固定ナット４６を緩める方向に締付け部材４９の摘み部４９ａを所定方向に回転させると、この締付け部材４９に伴って固定ナット４６が回転して緩み、圧縮ばね５４のばね力によって回動側部２３が固定側部２５から引き離される（図示せず）。これによって、被係合歯４４が係合歯４３に噛み合わない非噛合い位置に回動側部２３を移動させることができる。
【００６５】
そして、作業者は、固定ナット４６を締め付ける方向に締付け部材４９の摘み部４９ａを所定方向と反対方向に回転させると、この摘み部４９ａに伴って固定ナット４６が回転して締め付けられ、圧縮ばね５４のばね力に抗して回動側部２３を固定側部２５に押し付けることができる。これによって、図９（ａ）に示すように、被係合歯４４が係合歯４３に噛み合う噛合い位置に回動側部２３を移動させることができる。
【００６６】
この図９（ａ）、（ｂ）等に示す位置決め機構４２によると、作業者が草寄せ部材１５を使用するときは、図９（ａ）に示す締付け部材４９を所定方向に回転させて固定ナット４６を緩めて、回動側部２３を非噛合い位置に移動させる（図示せず）。そして、図８に示すように、草寄せ部材１５を使用位置に揺動させて、草寄せ部材１５に取り付けられている保持部２４の把持部２４ａをハンドルシャフト１３に係合させる。そして、この状態で、締付け部材４９を所定方向と反対方向に回転させて固定ナット４６を締め付けて、回動側部２３を噛合い位置に移動させて固定する。これによって、草寄せ部材１５を使用位置に固定することができるので、草寄せ部材１５を確実に固定した状態で草刈機４１を使用することができる。
【００６７】
ただし、草寄せ部材１５を図８に示す使用位置に固定して使用したが、これに代えて、切断草９の長さに応じて、草寄せ部材１５を刈払刃１２から更に引き離した上方位置で固定して使用することができる。
【００６８】
また、作業者が草寄せ部材１５を使用しないときは、図９（ａ）に示す締付け部材４９を所定方向に回転させて固定ナット４６を緩めて、回動側部２３を非噛合い位置に移動させる（図示せず）。そして、図３に示すものと同様に、草寄せ部材１５を退避位置に揺動させて、草寄せ部材１５に取り付けられている保持部２４の背面をハンドルシャフト１３に当接させる。そして、この状態で、締付け部材４９を所定方向と反対方向に回転させて固定ナット４６を締め付けて、回動側部２３を噛合い位置に移動させて固定する。これによって、草寄せ部材１５を退避位置に固定することができるので、草寄せ部材１５が草刈り作業の邪魔にならないように確実に固定しておくことができる。
【００６９】
次に、図７〜図１１に示すように構成された草刈機４１を使用して草を刈り取るときは、図１及び図２等に示す第１実施形態の草刈機１１と同様にして、この草刈機４１を吊り紐（図示せず）よって肩に掛けて、回転する刈払刃１２を左右に振ることによって、簡単に草刈り作業を行うことができる。そして、草刈り作業で行われる刈払刃１２を左右に振る動作によって、この草寄せ部材１５によって受け止められた切断草９を、作業者の例えば左側に振り落として寄せて集めることができ、これによって、草刈り作業と、切断草９の寄せ集め作業とを同時に行うことができる。
【００７０】
また、図７〜図１１に示す草刈機用用具４０によると、図１及び図２等に示す第１実施形態の草刈機用用具１４と同様に、位置決め機構４２によって、この用具１４に取り付けられている草寄せ部材１５を、図８に示すように使用するとき、及び図３に示すものと同様に使用しないときに応じて使用位置及び退避位置に移動させて固定することができるので、草寄せ部材１５を使用するとき及び使用しないときに、その都度、ハンドルシャフト１３に対して着脱する必要がなく、そのための手間及び時間を解消することができる。更に、図９（ａ）に示すように、草寄せ部材１５を使用位置及び退避位置に固定するときは、被係合歯４４が係合歯４３に噛み合う状態で固定ナット４６を固定ボルト４５に締め付けているので、草寄せ部材１５を使用位置及び退避位置から移動しないように確実に固定することができる。
【００７１】
次に、本発明に係る草刈機用用具、及びそれを備える草刈機の第３実施形態を、図１２〜図１５を参照して説明する。この図１２に示す第３実施形態の草刈機用用具６１、及びそれを備える草刈機６２と、図７に示す第２実施形態の草刈機用用具４０、及びそれを備える草刈機４１とが相違するところは、草寄せ部材１５を使用位置と退避位置とに位置決めするための位置決め機構６３、４２である。
【００７２】
そして、図１２に示す第３実施形態の位置決め機構６３と、図７に示す第２実施形態の位置決め機構４２とが相違するところは、図７に示す第２実施形態の位置決め機構４２は、固定側部２５及び回動側部２３の互いに対向する一方の側面に設けられた係合歯４３と他方の側面に設けられた被係合歯４４との噛合いによって、草寄せ部材１５を使用位置と退避位置とに固定するようにしたのに対して、図１２に示す第３実施形態の位置決め機構６３では、固定側部２５及び回動側部２３の互いに対向する一方の側面に設けられた複数の凹部６４と他方の側面に設けられた凸部材６５との係合によって、草寄せ部材１５を使用位置と退避位置とに固定するようにしたところである。これ以外は、第２実施形態の草刈機用用具４０、及びそれを備える草刈機４１と同等であり、同等部分は同一の図面符号で示し、それらの詳細な説明を省略する。
【００７３】
第３実施形態の位置決め機構６３は、第２実施形態の位置決め機構４２と同様に、草寄せ部材１５を、図１２に示す使用位置と、図３に示すものと同等の退避位置との間で揺動可能に支持し、草寄せ部材１５を使用位置及び退避位置に固定することができるものであり、固定側部２５、回動側部２３、固定側部２５に設けられた複数の凹部６４、及び回動側部２３に設けられたと凸部材６５を有している。図１３（ａ）は、位置決め機構６３の縦断面図であり、図１３（ｂ）は、位置決め機構６３を分解した状態を示す縦断面図である。また、図１４（ａ）〜（ｄ）は、固定側部２５を示し、図１５（ａ）〜（ｄ）は、回動側部２３を示している。
【００７４】
固定側部２５は、第２実施形態と同様に、図１３（ａ）、（ｂ）に示すように、ハンドルシャフト１３に固定して取り付けられるものであり、この固定側部２５とプレート２７との間にハンドルシャフト１３を挟み込んだ状態で、２本のボルト２８で締め付け固定されている。
【００７５】
回動側部２３は、第２実施形態と同様に、図１３（ａ）、（ｂ）に示すように、円板状体であり、固定側部２５に向かう側面に窪み部４７が形成され、この窪み部４７には、固定側部２５の側面に形成された突出部４８が嵌合している。この突出部４８の外周面４８ａと、窪み部４７の内周面４７ａとの嵌合によって、回動側部２３が固定側部２５に対して所定位置を中心にして回動自在に保持されている。そして、固定側部２５と回動側部２３との互いに対向する側面であって、固定側部２５の側面には、複数の凹部６４が設けられ、回動側部２３の側面には凸部材６５を備える係合具６６が設けられている。
【００７６】
複数の凹部６４は、図１４（ａ）等に示すように、固定側部２５の側面にその中心から所定の間隔を隔てて円周方向に沿って例えば９個形成され、これら９個の各凹部６４は例えば約２２°間隔で配置されている。
【００７７】
係合具６６は、図１３（ａ）及び図１５（ｂ）に示すように、回動側部２３の中心から所定の間隔を隔てた位置であって複数の各凹部６４と対応する位置に、この回動側部２３に螺着して取り付けられている。そして、係合具６６は、筒体６６ａを備え、筒体６６ａは、回動側部２３の側面から突出しないように配置されている。そして、筒体６６ａの先端部には、凸部材６５が進退自在に保持されている。つまり、この凸部材６５は、図１３（ａ）に示すように、側面から突出して、固定側部２５に形成されている凹部６４に係合する係合位置と、図には示さないが、この側面よりも下方に埋没する非係合位置との間を移動自在に設けられている。また、係合具６６の筒体６６ａ内には、ばね部材６７が設けられ、このばね部材６７によって凸部材６５を係合位置側に付勢している。
【００７８】
更に、図１３（ａ）に示すように、この位置決め機構６３は、第２実施形態の位置決め機構４２と同様に、回動側部２３を固定側部２５に対して回動（揺動）させることができる。この回動側部２３の揺動は、窪み部４７の内周面４７ａが突出部４８の外周面４８ａに案内されることによって行われる。そして、回動側部２３に形成されている挿通孔３３には、草寄せ部材１５が挿通されてボルト３４で固定されているので、草寄せ部材１５を、図１２に示す使用位置と、図３に示すものと同等の退避位置とに、この回動側部２３と嵌合する固定側部２５を中心にして揺動させることができる。
【００７９】
そして、草寄せ部材１５は、第２実施形態と同様に、図１２に示す使用位置、及び図３に示すものと同等の退避位置に、固定ボルト４５及びこれに螺合する固定ナット４６によって固定することができる。
【００８０】
固定ボルト４５及び固定ナット４６は、図１３（ａ）に示すように、凸部材６５が凹部６４に係合する状態で、回動側部２３を固定側部２５と締付け部材４９との間に挟み込んで、回動側部２３を固定側部２５に対して所望の回動位置で固定することができるものである。
【００８１】
更に、図１３（ａ）に示すように、圧縮ばね５４は、回動側部２３を固定側部２５から引き離す方向に付勢している。よって、作業者は、固定ナット４６を少し緩める方向に締付け部材４９を回転させると、この締付け部材４９に伴って固定ナット４６が回転して緩み、圧縮ばね５４のばね力によって回動側部２３が固定側部２５から少し引き離される。これによって、回動側部２３を固定側部２５に対して所望の回動位置に回動させることができる。
【００８２】
そして、作業者は、固定ナット４６を締め付ける方向に締付け部材４９を回転させると、この締付け部材４９に伴って固定ナット４６が回転して締め付けられ、圧縮ばね５４のばね力に抗して回動側部２３を固定側部２５に押し付けることができる。これによって、回動側部２３を固定側部２５に対して固定することができる。
【００８３】
この図１３（ａ）、（ｂ）等に示す位置決め機構６３によると、作業者が草寄せ部材１５を使用するときは、図１３（ａ）に示す締付け部材４９を所定方向に回転させて固定ナット４６を少し緩めて、回動側部２３を回動させることができるようにする。そして、図１２に示すように、草寄せ部材１５を使用位置に揺動させて、草寄せ部材１５に取り付けられている保持部２４の把持部２４ａをハンドルシャフト１３に係合させる。そして、この状態で、締付け部材４９を所定方向と反対方向に回転させて固定ナット４６を締め付けて、回動側部２３を固定側部２５に対して固定する。これによって、草寄せ部材１５を使用位置に確実に固定することができるので、草寄せ部材１５を固定した状態で草刈機６２を使用することができる。
【００８４】
ただし、草寄せ部材１５を図１２に示す使用位置に固定して使用したが、これに代えて、切断草９の長さに応じて、草寄せ部材１５を刈払刃１２から更に引き離した上方位置で固定して使用することができる。
【００８５】
また、作業者が草寄せ部材１５を使用しないときは、図１３（ａ）に示す締付け部材４９を所定方向に回転させて固定ナット４６を少し緩めて、回動側部２３を回動させることができるようにする。そして、図３に示すものと同様に、草寄せ部材１５を退避位置に揺動させて、草寄せ部材１５に取り付けられている保持部２４の背面をハンドルシャフト１３に当接させる。そして、この状態で、締付け部材４９を所定方向と反対方向に回転させて固定ナット４６を締め付けて、回動側部２３を固定側部２５に対して固定する。これによって、草寄せ部材１５を退避位置に固定することができるので、草寄せ部材１５が草刈り作業の邪魔にならないように確実に固定しておくことができる。
【００８６】
なお、草寄せ部材１５を使用位置又は退避位置に揺動させた状態で、固定ナット４６を締め付けて、回動側部２３（草寄せ部材１５）を固定側部２５に対して固定したが、固定ナット４６を締め付けることなく少し緩めた状態でも、草寄せ部材１５を使用位置又は退避位置に保持できるので、この状態で草刈り作業を行うこともできる。つまり、図１３（ａ）に示すように、凸部材６５が凹部６４に係合する所望の揺動位置を、草寄せ部材１５の使用位置又は退避位置とすることができる。この状態で、ばね部材６７が凸部材６５を凹部６４内に押し込めているので、草寄せ部材１５に対して揺動させる力が働いても、この凸部材６５と凹部６４との係合によって、草寄せ部材１５をこの係合位置に保持できるからである。
【００８７】
次に、図１２〜図１５に示すように構成された草刈機６２を使用して草を刈り取るときは、図７及び図８等に示す第２実施形態の草刈機４１と同様にして、草寄せ部材１５を使用位置に固定した状態で、回転する刈払刃１２を左右に振ることによって、簡単に草刈り作業を行うことができる。そして、草刈り作業で行われる刈払刃１２を左右に振る動作によって、この草寄せ部材１５によって受け止められた切断草９を所望の場所に振り落として寄せて集めることができ、これによって、草刈り作業と、切断草９の寄せ集め作業とを同時に行うことができる。
【００８８】
また、図１２〜図１５に示す草刈機用用具６１によると、図７及び図８等に示す第２実施形態の草刈機用用具４０と同様に、位置決め機構６３によって、この用具６１に取り付けられている草寄せ部材１５を使用するとき、及び使用しないときに応じて使用位置及び退避位置に移動させて固定したり保持できるので、草寄せ部材１５を使用するとき及び使用しないときに、その都度、ハンドルシャフト１３に対して着脱する必要がなく、そのための手間及び時間を解消することができる。
【００８９】
ただし、第１実施形態の草刈機用用具１４では、草寄せ部材１５が、図２に示す使用位置にあるとき、及び図３に示す退避位置にあるときに、保持部２４がハンドルシャフト１３に当接した状態で固定されるようにしたが、これに代えて、図２及び図３に示す回動側部２３に形成されている円弧状の長孔３７の両方の各端縁部にボルト３５を係合させることによって、草寄せ部材１５を、使用位置及び退避位置に固定するようにしてもよい。
【００９０】
そして、第３実施形態の草刈機用用具６１では、図１３（ａ）に示すように、回動側部２３に係合具６６を設け、固定側部２５に複数の凹部６４を形成したが、この係合具６６及び複数の凹部６４を省略してもよい。このようにした場合も、固定ボルト４５及び固定ナット４６を締め付けることによって、草寄せ部材１５を所望の使用位置及び退避位置に固定することができる。
【００９１】
また、上記第１〜第３実施形態では、図１等に示すように、草寄せ部材１５を草刈機用用具１４等に取り付けた例を示したが、この草寄せ部材１５の代わりに、低木保持部材６９又は刈刃保護部材を草刈機用用具１４等に取り付けることができる。つまり、第１〜第３実施形態の草刈機用用具１４等によると、草寄せ部材１５、低木保持部材６９、又は刈刃保護部材（図示せず）を必要に応じて取り付けて使用することができる。
【００９２】
図１６及び図１７は、低木保持部材６９を第１実施形態の草刈機用用具１４に取り付けた草刈機７０を示す。この低木保持部材６９は、所定長さの棒状体を約９０°に屈曲して形成されたものであり、基端部側が取付け部１５ｂとして形成され、先端部側が低木保持部本体６９ａとして形成されている。取付け部１５ｂは、同図に示すように、位置決め機構２２の回動側部２３と連結し、保持部２４が取り付けられている。そして、低木保持部本体６９ａは、使用位置で刈払刃１２の上方に配置され、刈払刃１２の外周縁部の中心側から外側に向かって延びて刈払刃１２の外周縁部から少し突出している。
【００９３】
この低木保持部材６９によると、図１６に示すように、刈払刃１２の回転力によって、低木７１をこの低木保持部材６９と刈払刃１２の外周縁部との間に保持して、この刈払刃１２によって低木７１を切断することができる。
【００９４】
また、刈刃保護部材は、図には示さないが、図１に示す刈払刃１２よりも少し大きい円板状体であり、外周縁部に沿って複数の凸部と凹部とが交互に形成され、各凹部は、刈払刃１２に設けられている切刃１２ａがこれらの凹部の内側に配置される深さに形成されている。そして、刈刃保護部材が使用位置にあるときは、刈払刃１２の上方に配置される構成となっている。そして、この刈刃保護部材は、図１に示す取付け部１５ｂと同等のものが設けられ、この取付け部１５ｂは、位置決め機構２２の回動側部２３と連結し、保持部２４が取り付けられている。
【００９５】
この刈刃保護部材によると、刈刃保護部材に形成されている複数の凸部が、刈払刃１２に設けられている切刃１２ａよりも外側に突出しているので、壁や塀等の際に生えている草等を刈り取るときに、切刃１２ａが壁や塀に接触しないように、この凸部によって切刃１２ａを保護することができる。そして、切刃１２ａが、刈刃保護部材に形成されている複数の凹部の内側に配置されているので、この凹部に入り込んでくる草等を切刃１２ａによって刈り取ることができる。
【００９６】
更に、上記第１〜第３実施形態の草刈機１１等では、円板状の刈払刃１２を設けたものを例に挙げたが、これ以外の刈刃が設けられた草刈機に本発明を適用することができる。
【００９７】
刈刃の他の例として、例えば固定側刈刃と可動側刈刃とから成るものがある。固定側及び可動側の各刈刃は、略同一の形状であり、直線状縁部に沿って山形状の刃部と谷部とが交互に形成されたものであり、可動側刃部を固定側刃部に沿って直線方向に往復移動させることができ、これによって、草を刈り取ることができるものである。
【００９８】
そして、刈刃の更に他の例として、円板状の回転板の外周部に、例えば１本、又は間隔を隔てて複数本の合成樹脂製の紐状体の基端部を取り付けたものであってもよい。この紐状体として、例えば断面円形の糸状体、帯状体、ロープ等がある。これによると、回転板を回転させることによって紐状体を振り回すことができ、この振り回される紐状体によって草等を刈り取ることができる。
【００９９】
また、第１〜第３の各実施形態では、刈払刃１２をエンジンで回転駆動したが、これに代えて、電気モータで回転駆動してもよい。
【０１００】
更に、第１〜第３の各実施形態の草刈機用用具１４等は、草寄せ部材１５を備えるものとして説明したが、草寄せ部材１５を備えていないものとすることができる。要は、草刈機用用具は、草寄せ部材１５、低木保持部材６９、刈刃保護部材、又はこれら以外の草刈機用部材を、必要に応じて使用位置と退避位置とに揺動させることができるものであればよい。
【産業上の利用可能性】
【０１０１】
以上のように、本発明に係る草刈機用用具及びそれを備える草刈機は、草刈機に取り付けられる草寄せ部材、低木保持部材、又は刈刃保護部材である草刈機用部材を、使用するとき及び使用しないときに応じて、使用位置及び退避位置に簡単に移動させて固定することができる優れた効果を有し、このような草刈機用用具及びそれを備える草刈機に適用するのに適している。
【図面の簡単な説明】
【０１０２】
【図１】この発明の第１実施形態に係る草刈機用用具を備える草刈機において草寄せ部材を使用位置にした状態を示す部分平面図である。
【図２】同第１実施形態に係る草刈機の草寄せ部材を使用位置にした状態を示す部分正面図である。
【図３】同第１実施形態に係る草刈機の草寄せ部材を退避位置にした状態を示す部分正面図である。
【図４】同第１実施形態に係る草刈機用用具の位置決め機構を示す図であり、（ａ）は、位置決め機構の縦断面図、（ｂ）は、位置決め機構の引っ張りばねの取り付け状態を示す正面図、（ｃ）は、位置決め機構を分解した状態を示す縦断面図である。
【図５】同第１実施形態に係る位置決め機構の固定側部を示す図であり、（ａ）は、正面図、（ｂ）は、縦断面図である。
【図６】同第１実施形態に係る位置決め機構の回動側部を示す図であり、（ａ）は、平面図、（ｂ）は、正面図、（ｃ）は、縦断面図である。
【図７】この発明の第２実施形態に係る草刈機用用具を備える草刈機において草寄せ部材を使用位置にした状態を示す部分平面図である。
【図８】同第２実施形態に係る草刈機の草寄せ部材を使用位置にした状態を示す部分正面図である。
【図９】同第２実施形態に係る位置決め機構を示す図であり、（ａ）は、位置決め機構の縦断面図、（ｂ）は、位置決め機構を分解した状態を示す縦断面図である。
【図１０】同第２実施形態に係る位置決め機構の固定側部を示す図であり、（ａ）は、正面図、（ｂ）は、縦断面図、（ｃ）は、背面図、（ｄ）は、側面図である。
【図１１】同第２実施形態に係る位置決め機構の回動側部を示す図であり、（ａ）は、正面図、（ｂ）は、縦断面図、（ｃ）は、背面図、（ｄ）は、側面図である。
【図１２】この発明の第３実施形態に係る草刈機用用具を備える草刈機において草寄せ部材を使用位置にした状態を示す部分平面図である。
【図１３】同第３実施形態に係る位置決め機構を示す図であり、（ａ）は、位置決め機構の縦断面図、（ｂ）は、位置決め機構を分解した状態を示す縦断面図である。
【図１４】同第３実施形態に係る位置決め機構の固定側部を示す図であり、（ａ）は、正面図、（ｂ）は、縦断面図、（ｃ）は、背面図、（ｄ）は、側面図である。
【図１５】同第３実施形態に係る位置決め機構の回動側部を示す図であり、（ａ）は、正面図、（ｂ）は、縦断面図、（ｃ）は、背面図、（ｄ）は、側面図である。
【図１６】同発明の草刈機用用具に低木保持部材を取り付けた草刈機において低木保持部材を使用位置にした状態を示す部分平面図である。
【図１７】図１６に示す草刈機の部分正面図である。
【図１８】従来の草寄せ具付き刈払機を示す斜視図である。
【図１９】同従来の刈払機の草寄せ具を示す部分拡大平面図である。
【符号の説明】
【０１０３】
９  切断草
１１、４１、６２、７０  草刈機
１２  刈払刃
１２ａ  切刃
１３  ハンドルシャフト
１４、４０、６１  草刈機用用具
１５  草寄せ部材
１５ａ  草寄せ本体
１５ｂ  取付け部
１６  刈払刃の凸部
１７  刈払刃の凹部
１８  回転軸
１９  挟持部材
２０、２８、３１、３４、３５、３６  ボルト
２１  ケース
２２、４２、６３  位置決め機構
２３  回動側部
２４  保持部
２４ａ  把持部
２５  固定側部
２６  引っ張りばね
２７  プレート
２９  中心孔
３０  突起
３２  座金
３３  挿通孔
３７  長孔
３８  安全カバー
４３  係合歯
４３ａ、４４ａ  突条部
４３ｂ、４４ｂ  溝部
４４  被係合歯
４５  固定ボルト
４５ａ  頭部
４６  固定ナット
４７  窪み部
４７ａ  内周面
４８  突出部
４８ａ  外周面
４９  締付け部材
４９ａ  摘み部
５０、５１、５２  中心孔
５３  係合凹部
５４  圧縮ばね
５５  収容部
６４  凹部
６５  凸部材
６６  係合具
６６ａ  筒体
６７  ばね部材
６９  低木保持部材
６９ａ  低木保持部本体
７１  低木
【図１】
2008289444.tif 000003
【図２】
2008289444.tif 000004
【図３】
2008289444.tif 000005
【図４】
2008289444.tif 000006
【図５】
2008289444.tif 000007
【図６】
2008289444.tif 000008
【図７】
2008289444.tif 000009
【図８】
2008289444.tif 000010
【図９】
2008289444.tif 000011
【図１０】
2008289444.tif 000012
【図１１】
2008289444.tif 000013
【図１２】
2008289444.tif 000014
【図１３】
2008289444.tif 000015
【図１４】
2008289444.tif 000016
【図１５】
2008289444.tif 000017
【図１６】
2008289444.tif 000018
【図１７】
2008289444.tif 000019
【図１８】
2008289444.tif 000020
【図１９】
2008289444.tif 000021